(57)【要約】【課題】平型柔軟基板でケーブルと導電端子とを連接するケーブル用コネクタを提供する。【解決手段】ケーブル用コネクタ組立体は、絶縁本体と、前記絶縁本体に装着され、前記絶縁本体の外部に突出する複数の導電端子とを含むコネクタと、平型のケーブルと、前記導電端子に接続するための端子接続部と、前記ケーブルに接続するためのケーブル接続部と、を含み、前記コネクタとケーブルとを連接するための平型柔軟基板と、前記コネクタに保持され、前記平型柔軟基板を支持するための支持部材と、を含むケーブル用コネクタ組立体において、前記コネクタの導電端子が前記平型柔軟基板の端子接続部に連接され、前記ケーブルの一端が前記平型柔軟基板のケーブル接続部に連接されている。【選択図】図３
2011023350.tif 000002
【特許請求の範囲】
【請求項１】
絶縁本体と、前記絶縁本体に装着され、前記絶縁本体の外部に突出する複数の導電端子と、を含むコネクタと、
平型のケーブルと、
前記導電端子に接続するための端子接続部と、前記ケーブルに接続するためのケーブル接続部と、を含み、前記コネクタとケーブルとを連接するための平型柔軟基板と、
前記コネクタに保持され、前記平型柔軟基板を支持するための支持部材と、
を含むケーブル用コネクタ組立体において、
前記コネクタの導電端子が前記平型柔軟基板の端子接続部に連接され、前記ケーブルの一端が前記平型柔軟基板のケーブル接続部に連接されていることを特徴とするケーブル用コネクタ組立体。
【請求項２】
前記平型柔軟基板の端子接続部とケーブル接続部とは、直交するように配置されることを特徴とする請求項１に記載のケーブル用コネクタ組立体。
【請求項３】
前記平型柔軟基板は、前記端子接続部と前記ケーブル接続部とを連接して、斜めに延出する連接部を含むことを特徴とする請求項１に記載のケーブル用コネクタ組立体。
【請求項４】
前記支持部材は、前記平型柔軟基板のケーブル接続部を収容するための第一収容部と、前記平型柔軟基板の連接部を収容するための第二収容空間と、前記ケーブルが貫通する通路と、を含むことを特徴とする請求項３に記載のケーブル用コネクタ組立体。
【請求項５】
前記コネクタの絶縁本体には一対のポストが設けられ、前記支持部材には前記ポストに対応する孔が設けられ、前記平型柔軟基板には前記ポストに対応する固持孔が設けられ、前記ポストが前記固持孔を貫通して前記孔に係合していることを特徴とする請求項４に記載のケーブル用コネクタ組立体。
【請求項６】
前記平型柔軟基板のケーブル接続部には、列で配置される半田パッドと、接地パッドとが設けられることを特徴とする請求項３に記載のケーブル用コネクタ組立体。
【請求項７】
前記ケーブルは、複数の同軸線と芯線とを含み、前記同軸線は前記半田パッドに接続する内側導体と、前記接地パッドに接続するための外側導体とを含み、前記芯線は前記半田パッドに接続するためのパワー線と接地パッドに接続するための接地線とを含むことを特徴とする請求項６に記載のケーブル用コネクタ組立体。
【請求項８】
前記平型柔軟基板の端子接続部とコネクタとの間、および前記平型柔軟基板のケーブル接続部と支持部材との間には、補強板がそれぞれ配置されることを特徴とする請求項１に記載のケーブル用コネクタ組立体。
【発明の詳細な説明】
【技術分野】
【０００１】
本発明は、ケーブル用コネクタ組立体に関し、特に、フラットケーブルに接続するためのケーブル用コネクタ組立体に関する。
【背景技術】
【０００２】
従来技術においては特許文献１に示されたように、ケーブルはケーブル用コネクタの端子に半田付けされ、絶縁管により前記ケーブルと端子との接続を収容し保持される。特許文献１に示すケーブル用コネクタの端子とケーブルを一列に配置することは困難である。ある場合に、ケーブル用コネクタの端子とケーブルとが一列で配置されることが要求され、特許文献２に示されたように、回路基板に接続するためのカード用コネクタを掲示され、該カード用コネクタが複数の第一端子と第二端子とを含み、カード用コネクタが回路基板に実装される相手コネクタに嵌合する時に、平型柔軟基板により連接している。具体的に、平型柔軟基板の一端が前記カード用コネクタの第一端子と第二端子とに一列で接続され、平型柔軟基板の他端が相手コネクタの導電端子に接続され、こうして、平型柔軟基板により相手コネクタとカード用コネクタとの接続を実現している。
【先行技術文献】
【特許文献】
【０００３】
【特許文献１】中国実用新案公告ＣＮ２４２２７５５Y号明細書
【特許文献２】中国実用新案公告ＣＮ２５２００１７Y号明細書
【発明の概要】
【発明が解決しようとする課題】
【０００４】
ある場合において、平型柔軟基板がケーブルに接続することが要求され、しかしながら、ケーブルと平型柔軟基板とは柔らかいので、両方の間の位置決めが困難になり、更に、半田作業が困難になる恐れがあった。したがって、新規なケーブル用コネクタを開発することが必要である。
【０００５】
本発明は、係る点に鑑みてなされたものであり、平型柔軟基板でケーブルと導電端子とを連接するためのケーブル用コネクタを提供することを目的とする。
【課題を解決するための手段】
【０００６】
本発明のケーブル用コネクタ組立体は、絶縁本体と、前記絶縁本体に装着され、前記絶縁本体の外部に突出する複数の導電端子と、を含むコネクタと、平型のケーブルと、前記導電端子に接続するための端子接続部と、前記ケーブルに接続するためのケーブル接続部と、を含み、前記コネクタとケーブルとを連接するための平型柔軟基板と、前記コネクタに保持され、前記平型柔軟基板を支持するための支持部材と、を含むケーブル用コネクタ組立体において、前記コネクタの導電端子が前記平型柔軟基板の端子接続部に連接され、前記ケーブルの一端が前記平型柔軟基板のケーブル接続部に連接されていることを特徴とする。
【発明の効果】
【０００７】
従来技術に比べ、本発明は以下の利点を有して、前記支持部材により、平型柔軟基板を介して導電端子と平型のケーブルを連接する作業が便利になる。
【図面の簡単な説明】
【０００８】
【図１】本発明に係るケーブル用コネクタ組立体の組立斜視図である。
【図２】図１に示すケーブル用コネクタ組立体の分解図である。
【図３】図２に示すケーブル用コネクタ組立体の他の角度から見た分解図である。
【図４】本発明に係るケーブル用コネクタ組立体の部分の組立斜視図である。
【発明を実施するための形態】
【０００９】
以下、図１乃至図４を参照すると、本発明についての実施形態を詳細に説明する。本発明のケーブル用コネクタ組立体１００は、コネクタ１と、ケーブル４と、連接部材７と、カバー２、３と、支持部材６とを含み、コネクタ１は、連接部材７によりケーブル４に接続されている。
【００１０】
前記コネクタ１は、絶縁本体１０と、絶縁本体１０に装着された複数の導電端子１２と、を含み、前記導電端子１２を収容する端子溝１０２が絶縁本体１０を貫通するように形成される。絶縁本体１０は、本体部１０４と、本体部１０４から前向きに延出する嵌合部１０６と、を含み、嵌合部１０６には、後壁から突出する一対のポスト１０４２と、上下壁に形成される凹部１０４４と、後壁の左右側壁に隣接する箇所での固定溝１０４６と、が形成され、図２に示す、前記ポスト１０４２が前記固定溝１０４６の下方に位置する。
【００１１】
静電気ノイズを低減するために、前記嵌合部１０６の周囲は金属シェル１４によって包囲され、且つ、金属シェル１４が本体部１０４の先端面までに延出し、金属シェル１４には絶縁本体の固定溝１０４６に保持される保持片１４２が後向きに延出するように形成され、これによって、金属シェル１４が絶縁本体１０に固定される。また、前記端子溝１０２が三列で配置され、前記複数の導電端子１２が前記端子溝１０２に対応し装着され、導電端子１２のテール部がコネクタ１の外部に突出するように配置される。
【００１２】
ケーブル４は、一列の同軸線４２と芯線４４と、前記同軸線４２および芯線４４の外部を包囲するための絶縁部材４６と、を含み、これにより、ケーブル４が平型のケーブルになる。各本の同軸線４２が内側導体４２０と外側導体４２２を含む。
【００１３】
ケーブル４が平型柔軟基板５を介して前記コネクタ１の導電端子１２に接続されている。平型柔軟基板５は、端子接続部５２と、端子接続部５２に直交するように配置されるケーブル接続部５４と、前記端子接続部５２とケーブル連接部５４とを連接して、斜めに延出する連接部５６とが一体に形成される。端子接続部５２には、両端の一対の貫通孔５２０と、導電端子１２に対応するための複数の収容孔５２２と、貫通孔５２０の下方の一対の保持孔５２４と、を含み、複数の収容孔５２２が前記一対の貫通孔５２０の間に配置される。前記導電端子１２のテール部が前記収容孔５２２を貫通して平型柔軟基板５に接続されている。ケーブル接続部５４には、一列に配置された複数の半田パッド５４２と、半田パッド５４２の後端の接地パッド５４４と、半田パッドの外側の固持孔５４６と、が設けられる。
【００１４】
同軸線４２の内側導体４２０が半田パッド５４２に半田付けされ、前記同軸線４２の外側導体４２２が接地パッド５４４に半田付けされる。前記芯線４４は半田パッド５４２に接続されるパワー線４４０と、前記接地パッド５４４に半田付けされる接地線４４２とを含む。
【００１５】
ケーブル用コネクタ組立体１００は、ケーブル４と平型柔軟基板５とを半田付けする時にコネクタ１に組み付けられて前記ケーブル４と平型柔軟基板５を支持するための支持部材６を含み、支持部材６にはコネクタ１のポスト１０４２に嵌合される孔６６が設けられる。前記支持部材６と平型柔軟基板５とが連接部材７を構成する。該支持部材６の上部には第一収容空間６０が窪んで形成され、該第一収容空間６０には通路６２が部分的に後向きに貫通するように形成され、また、支持部材６の先端には斜めに延出する第二収容空間６４が形成され、前記第一収容空間６０と前記第二収容空間６２と通路６２とは互いに連通している。
【００１６】
平型柔軟基板５のケーブル接続部５４が第一収容空間６０に収容され、連接部５４が前記第二収容空間６４に収容され、ケーブル４が平型柔軟基板５に接続されてから通路６２を後向きに貫通している。第一収容空間６０の底壁には平型柔軟基板５の固持孔５４６に係合する前記保持ポスト６０２が形成され、保持ポスト６０２が固持孔５４６に係合することにより平型柔軟基板５が第一収容空間６０に配置される。保持部材６がコネクタに組み立てられる時に、コネクタ１のポスト１０４２が前記平型柔軟基板５の固持孔５４６を貫通して支持部材６の孔６６に係合している。
【００１７】
平型柔軟基板５の端子接続部５２とコネクタ１との間、およびケーブル接続部５４と支持部材６との間には、補強板（図示せず）がそれぞれ配置され、補強板の形状と寸法が平型柔軟基板５と対応するように配置され、補強板が平型柔軟基板５の強さを増強し、また、平型柔軟基板５の折曲操作に有利になる。  
【００１８】
ケーブル４とコネクタ１の組立体は第一カバー２と第二カバー３により保持され、前記第一カバー２には前記凹部１０４４に対応する弾性アーム２２が形成される。前記第二カバー３が第一カバー２の外部を包囲するように形成され、前記第一カバー２と第二カバー３とが異なる硬度および材料によってそれぞれ形成される。
【００１９】
以上本発明について最良の実施の形態を参照して詳細に説明したが、本実施形態はあくまでも例示的なものであり、これらに限定されない。また上述の説明は、本発明に基づきなしうる細部の修正或は変更など、いずれも本発明の請求範囲に属するものとする。
【符号の説明】
【００２０】
１００  ケーブル用コネクタ組立体
1  コネクタ
１０  絶縁本体
１２  導電端子
１０２  端子溝
１０４  本体部
１０６  嵌合部
２  第一カバー
３  第二カバー
４  ケーブル
４２  同軸線
４４  芯線
５  平型柔軟基板
５２  端子接続部
５４  ケーブル接続部
５６  連接部
５４２  半田パッド
５４４  接地パッド
５４６  固持孔
６  支持部材
６６  保持ポスト
【図１】
2011023350.tif 000003
【図２】
2011023350.tif 000004
【図３】
2011023350.tif 000005
【図４】
2011023350.tif 000006